(57)【要約】【課題】絶縁部材について簡素化を図るとともに破損しにくく束ねた巻線にも容易に装着することができる絶縁部材付き巻線、ステータ、巻線の絶縁方法を提供する。【解決手段】巻線４０のコイルエンド部４１は、一対の斜行部４２，４３と、一対の斜行部４２，４３の間に形成されるクランク形状部４４を有している。絶縁部材５０は、２片から形成されている。第１の片としての第１の絶縁部材６０は、第１部６１と第２部６２とを有し、第１部６１は、斜行部４２に保持される。第２部６２は、斜行部４２およびクランク形状部４４の面を覆った状態で配置される。第２の片としての第２の絶縁部材７０は、斜行部４３に保持される。【選択図】図５
2012120305.tif 000002
【特許請求の範囲】
【請求項１】
回転電機の巻線のコイルエンド部の相間絶縁をする絶縁部材付き巻線であって、
前記巻線のコイルエンド部は、少なくとも一対の斜行部と、前記一対の斜行部の間に形成されるクランク形状部を有し、
前記絶縁部材は、少なくとも２片から形成され、少なくとも１片の絶縁部材は、第１部と第２部とを有し、
前記第１部は、一方の斜行部に保持され、
前記第２部は、前記斜行部およびクランク形状部の面を覆った状態で配置されていることを特徴とする絶縁部材付き巻線。
【請求項２】
前記第２部は、放射状に折り目が形成され、該折り目で折れることで前記クランク形状部の面を覆った状態で配置されることを特徴とする請求項１に記載の絶縁部材付き巻線。
【請求項３】
前記放射状の折り目の放射中心は、前記斜行部とクランク形状部との境界に配置されることを特徴とする請求項２に記載の絶縁部材付き巻線。
【請求項４】
前記第２部は他方の斜行部へ延びる舌部を有し、
絶縁部材の残りの１片は他方の斜行部に保持されるときに前記舌部を巻き込んでいることを特徴とする請求項１〜３のいずれか１項に記載の絶縁部材付き巻線。
【請求項５】
前記２片とも第１部と第２部を有することを特徴とする請求項１〜４のいずれか１項に記載の絶縁部材付き巻線。
【請求項６】
前記巻線は複数回巻かれていることを特徴とする請求項１〜５のいずれか１項に記載の絶縁部材付き巻線。
【請求項７】
前記第１部は前記斜行部に接着されていることを特徴とする請求項１〜６のいずれか１項に記載の絶縁部材付き巻線。
【請求項８】
前記放射状の折り目は山折りと谷折りにより構成されていることを特徴とする請求項２または３に記載の絶縁部材付き巻線。
【請求項９】
前記巻線のコイルエンド部のクランク形状部は、ねじれなしクランク形状部であることを特徴とする請求項１〜８のいずれか１項に記載の絶縁部材付き巻線。
【請求項１０】
内周面に開口するスロットが周方向に並設された円筒状のステータコアと、
前記ステータコアのスロットに挿入される請求項１〜９のいずれか１項に記載の絶縁部材付き巻線と、
を備えたことを特徴とするステータ。
【請求項１１】
コイルエンド部に、少なくとも一対の斜行部と、前記一対の斜行部の間に形成されるクランク形状部を有する巻線における前記コイルエンド部の相間を絶縁するための巻線の絶縁方法であって、
少なくとも２片から形成される絶縁部材のうちの一方の片を前記コイルエンド部の一方の斜行部に保持するとともに他方の片を他方の斜行部に保持し、
クランク形状部と一方の斜行部との間の境界およびクランク形状部と他方の斜行部との間の境界の少なくとも一方の境界、およびクランク形状部を絶縁部材で覆ったことを特徴とする巻線の絶縁方法。
【発明の詳細な説明】
【技術分野】
【０００１】
本発明は、絶縁部材付き巻線、ステータ、巻線の絶縁方法に関するものである。
【背景技術】
【０００２】
特許文献１において、回転電機の巻線は、スロット挿入部と、固定子鉄心の軸方向端面から突出する斜行部と、斜行部を互いに連結するターン部とからなる。また、巻線を絶縁する絶縁部材は、巻線の斜行部の外周に渡って包囲する筒状の第１絶縁部と、第１絶縁部の軸方向端部において屈曲可能に連結され、巻線のターン部の側面を覆う第２絶縁部とを有している。
【先行技術文献】
【特許文献】
【０００３】
【特許文献１】特開２００７−２５９６４９号公報
【発明の概要】
【発明が解決しようとする課題】
【０００４】
上述の絶縁部材は形状が複雑である。また、第１絶縁部と第２絶縁部とは幅狭なクビレ部により屈曲可能に連結されており、クビレ部において切れてしまう可能性がある。さらに、上述の絶縁部材は１本の巻線に装着するものであり、束ねた巻線に装着する場合には対応できない。
【０００５】
本発明の目的は、絶縁部材について簡素化を図るとともに破損しにくく束ねた巻線にも容易に装着することができる絶縁部材付き巻線、ステータ、巻線の絶縁方法を提供することにある。
【課題を解決するための手段】
【０００６】
請求項１に記載の発明では、回転電機の巻線のコイルエンド部の相間絶縁をする絶縁部材付き巻線であって、前記巻線のコイルエンド部は、少なくとも一対の斜行部と、前記一対の斜行部の間に形成されるクランク形状部を有し、前記絶縁部材は、少なくとも２片から形成され、少なくとも１片の絶縁部材は、第１部と第２部とを有し、前記第１部は、一方の斜行部に保持され、前記第２部は、前記斜行部およびクランク形状部の面を覆った状態で配置されていることを要旨とする。
【０００７】
請求項２に記載の発明では、請求項１に記載の絶縁部材付き巻線において、前記第２部は、放射状に折り目が形成され、該折り目で折れることで前記クランク形状部の面を覆った状態で配置されることを要旨とする。
【０００８】
請求項３に記載の発明では、請求項２に記載の絶縁部材付き巻線において、前記放射状の折り目の放射中心は、前記斜行部とクランク形状部との境界に配置されることを要旨とする。
【０００９】
請求項４に記載の発明では、請求項１〜３のいずれか１項に記載の絶縁部材付き巻線において、前記第２部は他方の斜行部へ延びる舌部を有し、絶縁部材の残りの１片は他方の斜行部に保持されるときに前記舌部を巻き込んでいることを要旨とする。
【００１０】
請求項５に記載の発明では、請求項１〜４のいずれか１項に記載の絶縁部材付き巻線において、前記２片とも第１部と第２部を有することを要旨とする。
請求項６に記載の発明では、請求項１〜５のいずれか１項に記載の絶縁部材付き巻線において、前記巻線は複数回巻かれていることを要旨とする。
【００１１】
請求項７に記載の発明では、請求項１〜６のいずれか１項に記載の絶縁部材付き巻線において、前記第１部は前記斜行部に接着されていることを要旨とする。
請求項８に記載の発明では、請求項２または３に記載の絶縁部材付き巻線において、前記放射状の折り目は山折りと谷折りにより構成されていることを要旨とする。
【００１２】
請求項９に記載の発明では、請求項１〜８のいずれか１項に記載の絶縁部材付き巻線において、前記巻線のコイルエンド部のクランク形状部は、ねじれなしクランク形状部であることを要旨とする。
【００１３】
請求項１〜９に記載の発明によれば、少なくとも１片の絶縁部材における第１部が、巻線のコイルエンド部の一方の斜行部に保持される。また、少なくとも１片の絶縁部材における第２部が、巻線のコイルエンド部の斜行部およびクランク形状部の面を覆った状態で配置される。つまり、隣接するコイルエンド部の斜行部およびクランク形状部との間に絶縁部材が介在する状態に配置される。
【００１４】
よって、絶縁部材においては、少なくとも２片から形成され、少なくとも１片の絶縁部材は、巻線のコイルエンド部の一方の斜行部に保持される第１部と、巻線のコイルエンド部の斜行部およびクランク形状部の面を覆った状態で配置される第２部とを有する構成となっているので、絶縁部材について簡素化が図られる。また、第２部は、斜行部およびクランク形状部の面を覆った状態で配置されているので、破損しにくい。さらに、束ねた巻線にも容易に装着することができる。
【００１５】
請求項１０に記載の発明では、内周面に開口するスロットが周方向に並設された円筒状のステータコアと、前記ステータコアのスロットに挿入される請求項１〜９のいずれか１項に記載の絶縁部材付き巻線と、を備えた要旨とする。
【００１６】
このステータによれば、絶縁部材について簡素化が図られるとともに、斜行部およびクランク形状部の面を覆った状態で配置されているので破損しにくく、さらに、束ねた巻線にも容易に装着することができる。
【００１７】
請求項１１に記載の発明では、コイルエンド部に、少なくとも一対の斜行部と、前記一対の斜行部の間に形成されるクランク形状部を有する巻線における前記コイルエンド部の相間を絶縁するための巻線の絶縁方法であって、少なくとも２片から形成される絶縁部材のうちの一方の片を前記コイルエンド部の一方の斜行部に保持するとともに他方の片を他方の斜行部に保持し、クランク形状部と一方の斜行部との間の境界およびクランク形状部と他方の斜行部との間の境界の少なくとも一方の境界、およびクランク形状部を絶縁部材で覆ったことを要旨とする。
【００１８】
この巻線の絶縁方法によれば、絶縁部材について簡素化が図られるとともに、斜行部およびクランク形状部の面を覆った状態で配置されているので破損しにくく、さらに、束ねた巻線にも容易に装着することができる。
【発明の効果】
【００１９】
本発明によれば、絶縁部材について簡素化を図るとともに破損しにくく束ねた巻線にも容易に装着することができる。
【図面の簡単な説明】
【００２０】
【図１】第１の実施形態におけるステータコアの一部正面図。
【図２】ステータの一部正面図。
【図３】３つの絶縁部材付き巻線の斜視図。
【図４】（ａ）は絶縁部材の第１の絶縁紙の斜視図、（ｂ）は絶縁部材の第２の絶縁紙の斜視図。
【図５】絶縁部材付き巻線の分解斜視図。
【図６】絶縁部材付き巻線の斜視図。
【図７】絶縁部材付き巻線のステータコアへの組み付け時のクランク形状部の変形を説明するための斜視図。
【図８】巻線における概略のクランク形状部付近の斜視図。
【図９】（ａ）は巻線における概略のクランク形状部付近での面を説明するための斜視図、（ｂ）は巻線に絶縁部材を装着した状態での斜視図。
【図１０】（ａ）は第２の実施形態における絶縁部材の第１の絶縁紙の斜視図、（ｂ）は第２の実施形態における絶縁部材の第２の絶縁紙の斜視図。
【図１１】第２の実施形態における絶縁部材付き巻線の分解斜視図。
【図１２】第２の実施形態における絶縁部材付き巻線の斜視図。
【図１３】第２の実施形態における絶縁部材付き巻線のステータコアへの組み付け時のクランク形状部の変形を説明するための斜視図。
【図１４】（ａ）は第３の実施形態における絶縁部材の第１の絶縁紙の斜視図、（ｂ）は第３の実施形態における絶縁部材の第２の絶縁紙の斜視図。
【図１５】第３の実施形態における絶縁部材付き巻線の斜視図。
【図１６】第４の実施形態におけるステータの一部正面図。
【図１７】第４の実施形態の巻線におけるクランク形状部付近の斜視図。
【図１８】第４の実施形態の巻線におけるクランク形状部付近での面を説明するための斜視図。
【図１９】（ａ）は第４の実施形態における絶縁部材の第１の絶縁紙の折り曲げ前の斜視図、（ｂ）は第４の実施形態における絶縁部材の第１の絶縁紙の折り曲げ後の斜視図。
【図２０】第４の実施形態における巻線に絶縁部材を装着した状態での斜視図。
【発明を実施するための形態】
【００２１】
（第１の実施形態）
以下、本発明を具体化した一実施形態を図面に従って説明する。
図１に示すように、ステータ１０におけるステータコア２０は円筒状をなし、内周面には多数のスロット２１が周方向に並設されている。各スロット２１はステータコア２０の内周面に開口している。ステータコア２０のスロット２１には絶縁部材付き巻線３０が挿入される。
【００２２】
スロット２１に、３つの絶縁部材付き巻線３０ａ，３０ｂ，３０ｃが挿入された状態を図２に示す。この３つの絶縁部材付き巻線３０ａ，３０ｂ，３０ｃについての斜視図を図３に示す。図３において、絶縁部材付き巻線３０ｂを挟んで絶縁部材付き巻線３０ａ，３０ｃが接近して重なる状態で配置される。絶縁部材付き巻線３０ａと絶縁部材付き巻線３０ｂとは異なる相であり、絶縁部材付き巻線３０ｂと絶縁部材付き巻線３０ｃとは異なる相である。異なる相の巻線間において電位差が生じるのでコイルエンド部において巻線の位置がずれても沿面距離（絶縁）を確保できるようにする必要がある。
【００２３】
図５に示すように、絶縁部材付き巻線３０は、巻線４０と絶縁部材５０からなり、絶縁部材５０により回転電機の巻線４０のコイルエンド部４１の相間絶縁をすることができるようになっている。巻線４０として、断面が長方形の平角線を用いている。巻線４０は亀甲巻きコイルであり、巻線４０のコイルエンド部４１は、少なくとも一対の斜行部４２，４３と、一対の斜行部４２，４３の間に形成されるクランク形状部４４（図２参照）を有している。
【００２４】
つまり、巻線４０のスロット挿入部４５，４６がステータコアのスロット２１にそれぞれ挿入され、コイルエンド部４１はステータコア２０の軸方向の端面から突出する。巻線４０のスロット挿入部４５，４６の一端部から斜行部４２，４３がスロット挿入部４５，４６に対し傾斜して形成されている。離間したスロット２１に挿入されたスロット挿入部４５，４６の一端部にクランク形状部４４が斜行部４２，４３を連結している。クランク形状部４４は根元部において３次元にねじられている。なお、ステータコア２０に対して斜行部４２およびスロット挿入部４５が径方向外側、斜行部４３およびスロット挿入部４６が径方向内側になる。
【００２５】
絶縁部材５０は、コイルエンド部４１の相間絶縁紙であり、絶縁部材５０は巻線４０のコイルエンド部４１の相間絶縁をする。
絶縁部材５０は、少なくとも２片から形成されている。詳しくは、絶縁部材５０は、図４に示すように、２分割で構成されており、図４（ａ）に示す第１の片としての第１の絶縁紙６０と、図４（ｂ）に示す第２の片としての第２の絶縁紙７０の２片から形成されている。絶縁部材５０における第１の片としての第１の絶縁紙６０は、第１部６１と、第１部６１の端部から延びる第２部６２とを有している。
【００２６】
図４（ａ）および図５に示すように、第１の絶縁紙６０の第１部６１には折り目６１ａ，６１ｂが形成され、折り目６１ａ，６１ｂは山折りである。第１の絶縁紙６０の第１部６１は折り目６１ａ，６１ｂで折り返して断面コ字状をなし、第１部６１は開口した部位から巻線のコイルエンド部の斜行部４２に挿入されるとともに第１部６１は斜行部４２に接着される。
【００２７】
このようにして、第１の片としての第１の絶縁紙６０における第１部６１は、図６に示すように、一方の斜行部４２に保持されている。具体的には、接着により第１の片としての第１の絶縁紙６０の第１部６１が斜行部４２に保持されている。
【００２８】
また、図４（ａ）および図５に示すように、第１の片としての第１の絶縁紙６０における第２部６２には、放射状に折り目６２ａ，６２ｂ，６２ｃ，６２ｄ，６２ｅ，６２ｆ，６２ｇが形成され、放射状の折り目６２ａ〜６２ｇは山折りと谷折りにより構成されている。具体的には、放射状の折り目６２ａ，６２ｅ，６２ｆは谷折りであり、他の放射状の折り目６２ｂ，６２ｃ，６２ｄ，６２ｇは山折りである。折り目６２ａ，６２ｂ，６２ｃ，６２ｄ，６２ｅ，６２ｆ，６２ｇで折ることでクランク形状部４４の面に沿って配置され、クランク形状部４４の面を覆っている。放射状の折り目６２ａ，６２ｂ，６２ｃ，６２ｄ，６２ｅ，６２ｆ，６２ｇの放射中心Ｐ１は、巻線のコイルエンド部の斜行部４２とクランク形状部４４との境界Ｐ５（図８参照）に配置される。詳しくは、放射状の折り目６２ａ，６２ｂ，６２ｃ，６２ｄ，６２ｅ，６２ｆ，６２ｇの放射中心Ｐ１は、図８に示すように、斜行部４２とクランク形状部４４との内方側の境界Ｐ５に配置される。このとき、第１の絶縁紙６０の第２部６２は、巻線４０のコイルエンド部４１の斜行部４２およびクランク形状部４４の面を覆った状態で配置される。
【００２９】
図９（ａ）に示すように、クランク形状部４４付近には、第１の面Ｆ１、第２の面Ｆ２、第３の面Ｆ３、第４の面Ｆ４が形成される。
図８に示すように、巻線４０は複数回（複数ターン）巻かれている。図２，３，８等では５回（５ターン）巻かれている状態を示している。そして、亀甲巻きコイルのコイルエンド部４１の相間の絶縁部材５０においては、クランク形状部４４の被覆部を、図６に示すように、第１の絶縁紙６０の第２部６２を折り曲げて構成する。このとき、第１の絶縁紙６０の第２部６２はクランク形状部４４に対し接着されていない状態でクランク形状部４４の面を覆っている。つまり、第１の絶縁紙６０の第２部６２の折り目６２ａ〜６２ｇにより、第１の絶縁紙６０が、ねじれたクランク形状部４４の面に沿うようにしている。
【００３０】
このようにして、第１の絶縁紙６０は、亀甲巻きコイルにおけるコイルエンド部４１での２辺（一対の斜行部４２，４３）の内の１辺を絶縁する部分とクランク形状部４４を絶縁する部分が一体に構成されている。
【００３１】
一方、図４（ｂ）および図５に示すように、絶縁部材５０における第２の絶縁紙７０には、折り目７０ａ，７０ｂが形成されている。折り目７０ａ，７０ｂは山折りである。第２の絶縁紙７０は、折り目７０ａ，７０ｂで折り返して断面コ字状をなし、第２の絶縁紙７０は開口した部位から、巻線のコイルエンド部の斜行部４３に挿入されるとともに、第２の絶縁紙７０は斜行部４３に接着される。
【００３２】
次に、絶縁部材付き巻線３０の作用、即ち、コイルエンドの相間絶縁方法について説明する。
図５に示すように、第１の絶縁紙６０を折り曲げて、巻線のコイルエンド部の斜行部４２に装着する。このとき、クランク形状部４４の根元（斜行部４２とクランク形状部４４との境界であって、コイルエンド側から見てクランク曲げ内側かつ、図１の巻線の挿入方向（ステータコアの径方向）からみて外側の境界Ｐ５）を中心に放射状に引いた折り目６２ａ，６２ｂ，６２ｃ，６２ｄ，６２ｅ，６２ｆ，６２ｇでクランク形状部４４付近の面（図９（ａ）における面Ｆ１，Ｆ２，Ｆ３，Ｆ４）に沿わせて３次元折りする。また、第２の絶縁紙７０を折り曲げて、巻線４０のコイルエンド部４１の斜行部４３に装着する。
【００３３】
この状態においては、クランク形状部４４付近の面Ｆ１〜Ｆ４に沿って図９（ｂ）に示すように第１の絶縁紙６０が配置され、クランク形状部４４付近の面Ｆ１〜Ｆ４を覆っている。特に面Ｆ４を覆うことで隣接配置される巻線の斜行部に対してより確実に絶縁を確保できる。
【００３４】
そして、図６に示すように、第１の絶縁紙６０の第１部６１を巻線のコイルエンド部の斜行部４２に接着にて貼り付ける。同様に、第２の絶縁紙７０を巻線のコイルエンド部の斜行部４３に接着にて貼り付ける。
【００３５】
続いて、図３に示すように、絶縁部材付き巻線３０（３０ａ，３０ｂ，３０ｃ）をステータコア２０に組み付ける。この時、図７に矢印で示すように巻線のコイルエンド部の斜行部４２，４３に力が加わり、クランク形状部４４が変形する。この際、絶縁部材５０は、巻線のコイルエンド部のクランク形状部４４に位置決めされ、かつ、完全に固定されておらず、巻線４０をステータコア２０に組み付ける時に、巻線のクランク形状部４４が変形しても、絶縁部材５０（絶縁紙）は２分割されているため破れることが防止される。つまり、クランク形状部４４を含めた必要な絶縁範囲をカバーしつつ大きな変形はなく破れることもない。
【００３６】
このように、図３に示すように、巻線の組み付け状態におけるクランク形状部４４の相間絶縁として、第１の絶縁紙６０と第２の絶縁紙７０の組み合わせによりクランク形状部４４での相間絶縁を確保することができる。
【００３７】
上記実施形態によれば、以下のような効果を得ることができる。
（１）図６に示すように、巻線（亀甲巻きコイル）４０のコイルエンド部４１の相間を絶縁する絶縁部材５０の構成として、クランク形状部４４の被覆部を、絶縁紙６０を折り曲げて構成している。これにより、柔軟性を持たない材料よりなる絶縁紙を用いても３次元的にねじれたコイルエンド部４１の面Ｆ１，Ｆ２，Ｆ３，Ｆ４に沿って覆うことができる形状を作ることができる。また、マイカテープなどの高価な絶縁材料が不要となる。
【００３８】
このように、絶縁部材５０においては、少なくとも２片から形成され、少なくとも１片の絶縁部材（第１の絶縁紙６０）は、巻線のコイルエンド部の一方の斜行部４２に保持される第１部６１と、巻線のコイルエンド部の斜行部４２およびクランク形状部４４の面を覆った状態で配置される第２部６２とを有する構成となっているので、絶縁部材について簡素化が図られる。また、第２部６２は、巻線のコイルエンド部の斜行部４２およびクランク形状部４４の面を覆った状態で配置されているので、破損しにくい。さらに、束ねた巻線にも容易に装着することができる。
【００３９】
（２）コイルエンド部４１に、少なくとも一対の斜行部４２，４３と、一対の斜行部４２，４３の間に形成されるクランク形状部４４を有する巻線４０におけるコイルエンド部４１の相間を絶縁するための巻線の絶縁方法として、少なくとも２片から形成される絶縁部材のうちの一方の片（第１の絶縁紙６０）をコイルエンド部４１の一方の斜行部４２に保持するとともに他方の片（第２の絶縁紙７０）を他方の斜行部４３に保持している。また、クランク形状部４４と一方の斜行部４２との間の境界およびクランク形状部４４と他方の斜行部４３との間の境界の少なくとも一方の境界、およびクランク形状部４４を絶縁部材５０で覆った。よって、絶縁部材５０について簡素化が図られる。また、第２部６２は、斜行部４２およびクランク形状部４４の面を覆った状態で配置されているので、破損しにくい。さらに、束ねた巻線にも容易に装着することができる。
（第２の実施形態）
次に、第２の実施形態を、第１の実施形態との相違点を中心に説明する。
【００４０】
図１０に示すように、絶縁部材５０の第１の片としての第１の絶縁紙６０における第２部６２は、巻線４０のコイルエンド部４１の他方の斜行部４３へ延びる舌部１００を有している。つまり、第１の絶縁紙６０におけるクランク形状部４４の被覆部の自由端に舌部１００を設け、舌部１００は第２の絶縁紙７０側に向かって直線的に延びている。舌部１００は斜行部４３における一つの面に沿って延びている。
【００４１】
第２の絶縁紙７０は、図１１，１２に示すように、舌部１００とコイルエンド部４１の辺（斜行部４３）を一緒に巻き付けて固定する。即ち、絶縁部材５０の残りの１片である第２の絶縁紙７０は他方の斜行部４３に保持されるときに舌部１００を巻き込んでいる。
【００４２】
次に、絶縁部材付き巻線３０の作用、即ち、コイルエンドの相間絶縁方法について説明する。
図１１に示すように、第１の絶縁紙６０を折り曲げて、巻線４０のコイルエンド部４１の斜行部４２に装着する。このとき、クランク形状部４４の面に沿わせて折り目６２ａ〜６２ｇで３次元折りする。また、第２の絶縁紙７０を折り曲げて、巻線４０のコイルエンド部４１の斜行部４３に装着する。
【００４３】
そして、図１２に示すように、第１の絶縁紙６０の第１部６１を斜行部４２に接着にて貼り付けるとともに第２の絶縁紙７０を斜行部４３に接着にて貼り付ける。このとき、舌部１００を第２の絶縁紙７０で一緒に巻き込んで固定する。
【００４４】
続いて、絶縁部材付き巻線３０をステータコア２０に組み付ける。この絶縁部材付き巻線３０のステータコア２０への組み付け時に、図１３に示すように、巻線４０には矢印で示すように力が加わり、クランク形状部４４も変形する。この巻線のクランク形状部４４の変形が発生しても、絶縁部材５０は２分割されているため、クランク形状部４４をカバーしつつも、大きな変形はなく、破れない。また、巻線４０の変形に対して舌部１００が巻線４０におけるコイルエンド部４１での斜行部（辺）４３に沿って動けるため破れない。
【００４５】
上記実施形態によれば、以下のような効果を得ることができる。
（３）第１の絶縁紙６０に設けた舌部（自由端）１００が巻線の斜行部４３に巻き付けられるため、巻線４０のステータコア２０への組み付け性がよくなる。
【００４６】
また、第１の実施形態に比べて、より確実に絶縁ができる。
（第３の実施形態）
次に、第３の実施形態を、第１の実施形態との相違点を中心に説明する。
【００４７】
図１４に示すように、クランク形状部４４の被覆部を、第１の片としての第１の絶縁紙１１０でも第２の片としての第２の絶縁紙１２０でも両方に持たせている。
図１４（ａ）に示すように、第１の絶縁紙１１０は、第１部１１１と第２部１１２とを有している。第１の絶縁紙１１０における第１部１１１は、折り目１１１ａ，１１１ｂで折り返して断面コ字状をなし、第１部１１１は開口した部位から図１５に示すように一方の斜行部４２に挿入されるとともに第１部１１１は斜行部４２に接着される。このようにして、第１の片としての第１の絶縁紙１１０における第１部１１１は一方の斜行部４２に保持されている。
【００４８】
図１４（ｂ）に示すように、第２の絶縁紙１２０は、第１部１２１と第２部１２２とを有している。第２の絶縁紙１２０における第１部１２１は、折り目１２１ａ，１２１ｂで折り返して断面コ字状をなし、第１部１２１は開口した部位から図１５に示すように他方の斜行部４３に挿入されるとともに第１部１２１は斜行部４３に接着される。このようにして、第２の片としての第２の絶縁紙１２０における第１部１２１は他方の斜行部４３に保持されている。
【００４９】
第１の絶縁紙１１０の第２部１１２と第２の絶縁紙１２０の第２部１２２は共にクランク形状部４４を覆っている。また、クランク形状部４４を絶縁紙で覆う際に、第１の絶縁紙１１０の第２部１１２と第２の絶縁紙１２０の第２部１２２とが一部領域で重なっている。よって、１枚あたりのねじり量を少なくすることができ、これにより、第１の絶縁紙１１０の第２部１１２と第２の絶縁紙１２０の第２部１２２においては、放射状の折り目を不要としている。
【００５０】
このように、２片、即ち、第１の絶縁紙１１０および第２の絶縁紙１２０とも、第１部と第２部を有し、第１の絶縁紙１１０の第２部１１２と第２の絶縁紙１２０の第２部１２２とは一部が重なる状態でクランク形状部４４の面を覆っている。
【００５１】
次に、絶縁部材付き巻線の作用、即ち、コイルエンドの相間絶縁方法について説明する。
図１５に示すように、第１の絶縁紙１１０の第１部１１１を折り曲げて、巻線４０のコイルエンド部４１の斜行部４２に装着する。また、第２の絶縁紙１２０の第１部１２１を折り曲げて、巻線４０のコイルエンド部４１の斜行部４３に装着する。このとき、絶縁紙１１０，１２０の第１部１１１，１２１に折り目が無く、２枚でクランク形状部４４を覆っている。これにより、各絶縁紙１１０，１２０におけるねじれ量を少なくでき、これにより、絶縁紙が破れにくくなる。
【００５２】
そして、第１の絶縁紙１１０の第１部１１１を斜行部４２に接着にて貼り付ける。同様に、第２の絶縁紙１２０の第１部１２１を斜行部４３に接着にて貼り付ける。その結果、第１の絶縁紙１１０の第２部１１２と第２の絶縁紙１２０の第２部１２２とでクランク形状部４４が被覆される。
【００５３】
上記実施形態によれば、以下のような効果を得ることができる。
（４）クランク形状部４４の両側から第１の絶縁紙１１０および第２の絶縁紙１２０で被覆するので、各々のクランク形状部被覆の面積を小さくすることができ、絶縁紙の貼り付け時の位置決めの際の取り扱いが容易になる。
（第４の実施形態）
次に、第４の実施形態を、第１の実施形態との相違点を中心に説明する。
【００５４】
図１７に示すように、本実施形態では、ねじれなしクランク形状部１３０に適用しており、ねじれなしクランク形状部１３０には斜行部１３１および斜行部１３２が延びている。
【００５５】
図１６に示すようにステータコア２０に巻線が組み付けられ、図１８に示すように、クランク形状部１３０付近には、第１の面Ｆ１１、第２の面Ｆ１２、第３の面Ｆ１３、第４の面Ｆ１４が形成される。なお、ステータコア２０に対して斜行部１３１およびスロット挿入部４５が径方向外側、斜行部１３２およびスロット挿入部４６が径方向内側になる。
【００５６】
図１９，２０に示すように、絶縁部材１４０は、２分割で構成されている。絶縁部材１４０は、第１の片としての第１の絶縁紙１５０と、第２の片としての第２の絶縁紙１６０の２片から形成されている。図１９に示すように、絶縁部材１４０における第１の片としての第１の絶縁紙１５０は、第１部１５１と、第１部１５１の端部から延びる第２部１５２とを有している。
【００５７】
第１の絶縁紙１５０の第１部１５１は、折り目１５１ａ，１５１ｂで折り返して断面コ字状をなし、第１部１５１は開口した部位から図２０に示すように一方の斜行部１３１に挿入されるとともに第１部１５１は斜行部１３１に接着される。このようにして、第１の片としての第１の絶縁紙１５０における第１部１５１は一方の斜行部１３１に保持されている。
【００５８】
第１の絶縁紙１５０における第２部１５２は、折り目１５２ａ〜１５２ｆを有し、折り目１５２ａ〜１５２ｆは放射状に形成されている。折り目１５２ａ，１５２ｂ，１５２ｃ，１５２ｄ，１５２ｆで山折りされるとともに折り目１５２ｅで谷折りされる。折り目１５２ａ〜１５２ｆで折ることで、巻線のコイルエンド部の斜行部１３１およびクランク形状部１３０の面を覆った状態で配置される（クランク形状部１３０付近の面に沿って配置される）。
【００５９】
第２部１５２の放射状の折り目１５２ａ〜１５２ｆの放射中心Ｐ１０は、斜行部１３１とクランク形状部１３０との境界Ｐ１５（図１８参照）に配置される。詳しくは、放射状の折り目１５２ａ，１５２ｂ，１５２ｃ，１５２ｄ，１５２ｅ，１５２ｆの放射中心Ｐ１０は、図１８に示すように、斜行部１３１とクランク形状部１３０との内方側の境界Ｐ１５（すなわち、斜行部１３１とクランク形状部１３０との境界であって、コイルエンド側から見てクランク曲げ内側かつ、ステータコアの径方向からみて外側の境界Ｐ１５）に配置される。そして、図１８に示す巻線のコイルエンド部のクランク形状部１３０付近の面Ｆ１１，Ｆ１２，Ｆ１３，Ｆ１４が第１の絶縁紙１５０により覆われる。特に面Ｆ１３を覆うことで隣接配置される巻線の斜行部に対してより確実に絶縁を確保できる。
【００６０】
第２の絶縁紙１６０は、断面コ字状をなし、開口した部位から他方の斜行部１３２に挿入されるとともに斜行部１３２に接着される。このようにして、第２の片としての第２の絶縁紙１６０は他方の斜行部１３２に保持されている。
【００６１】
実施形態は前記に限定されるものではなく、例えば、次のように具体化してもよい。
・第１〜第４の実施形態において、絶縁部材（絶縁紙）は、巻線のコイルエンド部の斜行部に対し接着にて保持したが、接着に代わり、巻付けにより保持してもよい。具体的には、第１の実施形態において、第１の絶縁紙６０の第１部６１を斜行部４２に巻付けにより保持するようにしてもよい。また、第２の絶縁紙７０を斜行部４３に巻付けにより保持するようにしてもよい。第２の実施形態においても、第１の絶縁紙６０の第１部６１を斜行部４２に巻付けにより保持するようにしてもよく、また、第２の絶縁紙７０を斜行部４３に巻付けにより保持するようにしてもよい。第３の実施形態において、第１の絶縁紙１１０の第１部１１１を斜行部４２に巻付けにより保持するようにしてもよい。また、第２の絶縁紙１２０の第１部１２１を斜行部４３に巻付けにより保持するようにしてもよい。第４の実施形態において、第１の絶縁紙１５０の第１部１５１を斜行部１３１に巻付けにより保持するようにしてもよい。また、第２の絶縁紙１６０を斜行部１３２に巻付けにより保持するようにしてもよい。接着としては接着剤や両面テープなどでもよい。また、接着の場合、折り目６１ａ，６１ｂ、７０ａ，７０ｂ、１１１ａ，１１１ｂ、１２１ａ，１２１ｂ、１５１ａ，１５１ｂなどで折り返している部分も必ずしも必要ない。
【００６２】
・第３の実施形態において絶縁紙の第２部１１２，１２２に折り目を無くしたが、あってもよい。つまり、クランク形状部４４の根元（斜行部４２，４３とクランク形状部４４との境界）を中心に放射状に引いた折り目（折れ線）でクランク形状部の面に沿わせて３次元折りするようにしてもよい。
【００６３】
・巻線として、断面が長方形の平角線を用いたが、角線でもよい。一対の斜行部とクランク形状部を有する成型コイルであればよい。
【符号の説明】
【００６４】
２０…ステータコア、３０…絶縁部材付き巻線、４０…巻線、４１…コイルエンド部、４２…斜行部、４３…斜行部、４４…クランク形状部、５０…絶縁部材、６０…第１の絶縁紙、６１…第１部、６２…第２部、６２ａ…折り目、６２ｂ…折り目、６２ｃ…折り目、６２ｄ…折り目、６２ｅ…折り目、６２ｆ…折り目、６２ｇ…折り目、７０…第２の絶縁紙、１００…舌部、１１０…第１の絶縁紙、１１１…第１部、１１２…第２部、１２０…第２の絶縁紙、１２１…第１部、１２２…第２部、１３０…クランク形状部、１３１…斜行部、１３２…斜行部、１４０…絶縁部材、１５０…第１の絶縁紙、１５１…第１部、１５２…第２部、１５２ａ…折り目、１５２ｂ…折り目、１５２ｃ…折り目、１５２ｄ…折り目、１５２ｅ…折り目、１５２ｆ…折り目、１６０…第２の絶縁紙、Ｆ１〜Ｆ４…面、Ｆ１１〜Ｆ１４…面、Ｐ１…放射中心、Ｐ５…境界、Ｐ１０…放射中心、Ｐ１５…境界。
【図１】
2012120305.tif 000003
【図２】
2012120305.tif 000004
【図３】
2012120305.tif 000005
【図４】
2012120305.tif 000006
【図５】
2012120305.tif 000007
【図６】
2012120305.tif 000008
【図７】
2012120305.tif 000009
【図８】
2012120305.tif 000010
【図９】
2012120305.tif 000011
【図１０】
2012120305.tif 000012
【図１１】
2012120305.tif 000013
【図１２】
2012120305.tif 000014
【図１３】
2012120305.tif 000015
【図１４】
2012120305.tif 000016
【図１５】
2012120305.tif 000017
【図１６】
2012120305.tif 000018
【図１７】
2012120305.tif 000019
【図１８】
2012120305.tif 000020
【図１９】
2012120305.tif 000021
【図２０】
2012120305.tif 000022